(57)【要約】【課題】墨出し装置における支持脚を装置本体に対して折り畳んで収納することにより、装置本体のコンパクト化を図る。【解決手段】架台１の上面側に立設された本体ハウジング５内にレーザー照射手段が組込まれ、前記架台の底面側に少なくとも３本の支持脚６ａ〜６ｃが該架台１の外郭縁部に所定の間隔をおいて配備された墨出し装置であって、前記各支持脚６ａ〜６ｃを架台１の底面側に対して起倒可能に装設し、この支持脚６ａ〜６ｃは、その起立したときには該架台１の底面からの垂下状態が維持されかつ傾倒したときには該架台１の底面領域内に位置されるように構成する。【選択図】図７
2008267825.tif 000002
【特許請求の範囲】
【請求項１】
架台の上面側に立設された本体ハウジング内にレーザー照射手段が組込まれ、前記架台の底面側に少なくとも３本の支持脚が該架台の外郭縁部に所定の間隔をおいて配備された墨出し装置であって、
前記各支持脚を架台の底面側に対して起倒可能に装設し、この支持脚は、その起立したときには該架台の底面からの垂下状態が維持されかつ傾倒したときには該架台の底面領域内に位置されるように構成したことを特徴とする墨出し装置。
【請求項２】
請求項１記載の墨出し装置であって、
前記支持脚のうち、少なくとも２本の支持脚は、前記架台の底面に対し該架台の外郭縁部に向かう水平方向への回動可能に軸支された可動アームに起倒可能に装設され、該可動アームを架台の外郭縁部側に回動したとき、前記起立状態の支持脚が前記架台の外郭縁部の外方近傍に位置されることを特徴とする墨出し装置。
【請求項３】
請求項１または２記載の墨出し装置であって、前記架台の底面には、前記支持脚の装設部位に収納凹部が形成され、その残余の底面をフラット面に形成し、前記収納凹部に前記傾倒した状態の支持脚を埋没可能に収納したことを特徴とする墨出し装置。
【発明の詳細な説明】
【技術分野】
【０００１】
本発明は、例えば、レーザー光を照射して墨出し作業に供される墨出し装置に関する。
【背景技術】
【０００２】
一般に、この種の墨出し装置にあっては、架台の上面側に立設された本体ハウジング内に、レンズ手段及びレーザー光源ユニットを組込んだ振り子が揺動自在に垂設され、この架台の下面側に複数本（一般には３本）の支持脚がその周方向に等間隔でかつ下方に突出した状態で取付けられている（特許文献１及び２参照）。
【特許文献１】特開平７−２９４２５６号
【特許文献２】実用新案登録第３０４１８４０号
【発明の開示】
【発明が解決しようとする課題】
【０００３】
しかしながら、上記したそれぞれの墨出し装置にあっては、支持脚が架台に対して固定状態で取付けられているため、その使用に際しては設置面に対して装置本体を安定した状態で設置しその維持を図ることができるものの、搬送時には、支持脚を含む墨出し装置全体を外部との衝突を避けるために専用のケース等に収納して持ち運びがなされるものであり、装置全体としてはその支持脚により全高が長くなり、それに伴って前記専用のケース等のサイズも大きなものとなって、その取り扱いに至便さを欠くという問題点が惹起されていた。
そこで、本発明は、上記した問題点に鑑み、墨出し装置における支持脚を装置本体に対して折り畳んで収納することにより、装置本体のコンパクト化を図ることができる墨出し装置を提供するものである。
【課題を解決するための手段】
【０００４】
請求項１記載の発明は、架台の上面側に立設された本体ハウジング内にレーザー照射手段が組込まれ、前記架台の底面側に少なくとも３本の支持脚が該架台の外郭縁部に所定の間隔をおいて配備された墨出し装置であって、
前記各支持脚を架台の底面側に対して起倒可能に装設し、この支持脚は、その起立したときには該架台の底面からの垂下状態が維持されかつ傾倒したときには該架台の底面領域内に位置されるように構成したことを要旨とする。
上記した構成によれば、使用時にあっては、架台の底面側に装設された各支持脚を起立させることによって、墨出し装置、すなわち、その装置本体を安定した状態で設置することができるとともに、搬送（持ち運び）時にあっては、起立させた各支持脚を架台の底面側に傾倒して折り畳むことによって、該各支持脚を架台の底面における外郭形状の領域内の収納することができる。
したがって、支持脚を含む墨出し装置全体のコンパクト化を図ることができるものである。
【０００５】
請求項２記載の発明は、請求項１記載の墨出し装置であって、
前記支持脚のうち、少なくとも２本の支持脚は、前記架台の底面に対し該架台の外郭縁部に向かう水平方向への回動可能に軸支された可動アームに起倒可能に装設され、該可動アームを架台の外郭縁部側に回動したとき、前記起立状態の支持脚が前記架台の外郭縁部の外方近傍に位置されることを要旨とする。
上記した構成によれば、少なくとも３本の支持脚のうち、２本の支持脚を起立状態において架台、すなわち、装置本体の外郭縁部の外方近傍に位置させることによって、該装置本体をさらに安定した状態の設置が確保し得るものである。
したがって、墨出し装置の使用時における設置に際し、その装置本体の転倒を未然に防止し得るものである。
【０００６】
請求項３記載の発明は、請求項１または２記載の墨出し装置であって、前記架台の底面には、前記支持脚の装設部位に収納凹部が形成され、その残余の底面をフラット面に形成し、前記収納凹部に前記傾倒した状態の支持脚を埋没可能に収納せしめてなるを要旨とする。
上記した構成によれば、各支持脚を、架台の底面に形成した収納凹部内に傾倒した状態で埋没可能に収納し得る。
したがって、支持脚を含む墨出し装置全体のさらなるコンパクト化を図るものである。
さらに、架台の底面にあって、収納凹部が形成された残余の底面を、フラット面となしたことによって、このフラット面を利用して三脚等他の測量機器或いはその取付け用のアタッチメント等に対する装着を簡単に行なうことが可能となる。
【発明の効果】
【０００７】
請求項１記載の発明にあっては、支持脚を含む墨出し装置全体のコンパクト化を図ることができ、その搬送等の取り扱いを至便にすることができる。さらには、墨出し装置を収納するための専用ケース等のサイズも徒に大きくする必要がなく、その取り扱いをさらに至便にすることができる。
【０００８】
請求項２記載の発明にあっては、上記した請求項１記載の効果に加え、墨出し装置の設置状態をさらに安定化し、その装置本体（墨出し装置全体）の転倒を未然に防止することができる。
【０００９】
請求項３記載の発明にあっては、上記した請求項１または２記載の効果に加え、支持脚を含む墨出し装置全体のさらなるコンパクト化を図ることができる。さらに、三脚等他の測量機器或いはその取付け用のアタッチメント等に対する装着を簡単に行なうことが可能となる。
【発明を実施するための最良の形態】
【００１０】
次に、本発明を実施するための最良の形態について、実施例にしたがって説明する。
【実施例】
【００１１】
図において、本実施例の墨出し装置は、大別すると、架台１と、該架台１上に立設された支持フレーム２に対し揺動可能に垂下された振り子部材３と、該振り子部材３に装着された複数個のレーザー光源ユニット４と、これらの振り子部材３及びレーザー光源ユニット４を内包しかつ該架台１上に装設された本体ハウジング５とから構成されている。
【００１２】
前記架台１は平面ほぼ楕円形状でかつ所望の厚さの平板状に形成されており、その底面には、墨出し装置としての重心点を中心としてその外郭縁部寄りの複数箇所（図では３箇所）に後述する第１〜第３の支持脚６ａ〜６ｃを折り畳み状態で収納する第１〜第３の収納凹部７ａ〜７ｃが所望の間隔をおいて凹設されている。この第１〜第３の収納凹部７ａ〜７ｃにおいて、図３及び図５に示すように、第１の収納凹部７ａは、前記架台１の外郭縁部おける後部寄り（図では右側）に位置されて所定の深さの平面ほぼＵ字形状に形成され、第２及び第３の収納凹部７ｂ、７ｃはそれぞれほぼ前部両側部寄り（図では左側）に対称状に位置されて所定の深さの平面ほぼ矩形状に形成されている。なお、架台１の底面にあって、第１〜３の収納凹部７ａ〜７ｃが形成された残余の底面を、フラット面１ａとなしており。このフラット面１ａを利用することによって、墨出し装置全体を三脚等他の測量機器或いはその取付け用のアタッチメント等に対して簡単に装着することが可能となる。
【００１３】
この第１〜第３の収納凹部７ａ、７ｂ、７ｃ内には、それぞれ第１〜第３の支持脚６ａ〜６ｃが起倒可能に配置されている。すなわち、前記第１の収納凹部７ａ内には、第１の支持脚６ａがその上端部において前記架台１に対して片持ち状に設けられた支持ピン８ａにより垂直方向への起倒（回動）可能に支承されている。この第１の支持脚６ａは、その起倒時に際し、ほぼ水平状態に回動することによって、その状態のまま該第１の収納凹部７ａ内に埋没状態で収納位置され、一方、起立時にはほぼ９０度回動することによって、ほぼ垂下状の起立状態となるように構成されている。（図３及び図５参照）
【００１４】
また、第２及び第３の収納凹部７ｂ、７ｃ内には、図６に示すように、可動アーム９ａ、９ｂが支ピン１０ａ、１０ｂを介して水平方向への回動可能に支承されていて、この先端部に対し第２及び第３の支持脚６ｂ、６ｃが該可動アーム９ａ、９ｂに片持ち状に設けられた支持ピン８ｂ、８ｃにより垂直方向への起倒（回動）可能にそれぞれ支承されている。この第２及び第３の支持脚６ｂ、６ｃは、その起倒時に際し、ほぼ水平状態に回動することによって、その状態のまま該第２及び第３の収納凹部７ｂ、７c内に埋没状態で収納位置され、一方、起立時にはほぼ９０度回動することによって、ほぼ垂下状の起立状態となるようにそれぞれ構成されている。
そして、可動アーム９ａ、９ｂを前記第２及び第３の収納凹部７ｂ、７c内において、それぞれ水平方向に前記架台１の外郭縁部側に向かって回動した状態では、その先端部の第２及び第３の支持脚６ｂ、６ｃがそれぞれ架台１の外郭縁部より外方近傍に張出し状態で位置されるものである。（図５参照）
【００１５】
さらに、図６に示すように、前記第１〜第３の支持脚６ａ〜６ｃと各支持ピン８ａ〜８ｃとのそれぞれの支承部位には、前記架台１及び可動アーム９ａ、９ｂに対する第１〜第３の支持脚６ａ〜６ｃに対してそれぞれテンションを付与して該第１〜第３の支持脚６ａ〜６ｃの起立状態を維持するコイルスプリング等の弾力付与手段１１が介装されている。
【００１６】
前記架台１の上面側、すなわち、本体ハウジング５内において、図２、図４及び図８、図９に示すように、板状の台座部材１２が配置され、この台座部材１２の外縁寄りの一部にほぼ門形の前記支持フレーム２が一体的に立設されている。
この支持フレーム２の上部に対して前記振り子部材３がジンバル機構１３により上部を支持されて揺動自在に垂下状態で装設されている。なお、振り子部材３の下端部は台座部材１２の中心部位に貫設された孔１２ａ内に自由（フリー）状態で位置されその揺動が許容されている。
【００１７】
そして、前記振り子部材３には、図８及び図９に示すように、レーザー光発生手段及び該レーザー光発生手段からのレーザー光を所定の垂直方向に照射する円柱レンズからなる光学手段を有する前記レーザー光源ユニット４と同じくレーザー光発生手段及び該レーザー光発生手段からのレーザー光を所定の水平方向に照射する円柱レンズからなる光学手段を有する前記レーザー光源ユニット４が上下に位相差をもって配置されている。なお、振り子部材３には、図示しないがレーザー光を下方若しくは上方に照射するように対応するレーザー光源ユニットを装備する構成を採用することが可能である。
【００１８】
前記本体ハウジング５は、平断面ほぼ楕円形のドーム状に形成されており、図１に示すように、その正面側にレーザー光を垂直方向に照射するための前記レーザー光源ユニット４に対応する縦方向の開口窓部１４ａと同じくレーザー光を水平方向に照射するためのレーザー光源ユニット４に対応する横方向の開口窓部１４ｂがそれぞれ上下に位相差をもって開設されている。
【００１９】
図１０〜図１７に示すように、前記支持フレーム２の下方に一側部には、取付け板１５が立設状態で取付けられ、その下部一方側に膨出したブラケット部１５ａには支ピン１６が垂直状に立設されている。この支ピン１６には、湾曲状のロックアーム１７がコイル状のトーションスプリング１８を介して水平方向の回動可能に支承されていて、その先端部位を前記振り子部材３のほぼ下端外周側に当接及び離隔可能に対向位置されている。
しかして、ロックアーム１７は、後述するスイッチカム２１により振り子部材３の外周側に当接する方向への回動及び該振り子部材３の外周側から離隔する方向への回動が支ピン１６を中心としてなされるように構成されている。さらに、ロックアーム１７における振り子部材３の外周側に対する当接は、前記トーションスプリング１８のバネ力により弾性状態で当接されて該振り子部材３の自由動をロックするように構成されている。
【００２０】
前記取付け板１にはカム軸１９が回動可能に支承されていて、その内側軸端部は前記振り子部材３側に位置され、外側軸端部は前記本体ハウジング５を貫通して突出位置されている。
このカム軸１９の内側軸端部には、前記ロックアーム１７を回動操作するとともに、前記取付け板１５に設けられて前記レーザー光源ユニット４用のマイクロスイッチ２０をＯＮ，ＯＦＦ制御するほぼ板状のスイッチカム２１が設けられ、外側軸端部には、該カム軸１９とともにスイッチカム２１を回動操作するスイッチレバー２２及びカバー２３が設けられている。
しかして、図１０及び図１２、図１３に示すように、スイッチレバー２２が垂直状態から水平状態に回動位置されると、スイッチカム２１がロックアーム１７に対する押動を解いて前記トーションスプリング１８のバネ力で該ロックアーム１７の先端部を前記振り子部材３の外周側に当接させてロック状態とするとともに、マイクロスイッチ２０をＯＦＦ状態とし、図１１及び図１４、図１５に示すように、スイッチレバー２２が水平状態から垂直状態に回動位置されると、スイッチカム２１がトーションスプリング１８のバネ力に抗してロックアーム１７を押動して該ロックアーム１７の先端部を前記振り子部材３の外周側から離隔してアンロック状態とするとともに、マイクロスイッチ２０をＯN状態とするように構成されている。
【００２１】
上述のように構成された本例の墨出し装置にあっては、第１〜第３の収納凹部７ａ、７ｂ、７ｃ内に対し、それぞれ第１〜第３の支持脚６ａ〜６ｃが起倒可能に配置されているため、それぞれの起倒時に際し、第１〜第３の支持脚６ａ〜６ｃをほぼ水平状態に支持ピン８ａ〜８ｃを中心として回動することによって折畳み、その状態のまま第１〜第３の収納凹部７ａ〜７ｃ内にそれぞれ埋没状態で収納位置することができる。
そして、起立時には前述とは逆方向にそれぞれほぼ９０度回動することによって、第１〜第３の支持脚６ａ〜６ｃを架台１に対してほぼ垂下状の起立状態とすることができる。
【００２２】
したがって、使用時にあっては、各支持脚６ａ〜６ｃを起立させることによって、墨出し装置、すなわち、その装置本体を安定した状態で設置することができるとともに、搬送（持ち運び）時にあっては、起立させた各支持脚６ａ〜６ｃを架台１の底面側に傾倒して折畳むことによって、該各支持脚６ａ〜６ｃを架台１の底面における外郭形状の領域内でかつ該底面の収納凹部７ａ〜７ｃ内に収納することができ、各支持脚６ａ〜６ｃを含む墨出し装置全体のコンパクト化を図ることができるものである。
【００２３】
さらに、第２及び第３の収納凹部７ｂ、７ｃ内において、図５及び図６に示すように、可動アーム９ａ、９ｂを支ピン１０ａ、１０ｂを介して水平方向に架台１の外郭縁部側に向かって回動することによって、その先端部の第２及び第３の支持脚６ｂ、６ｃをそれぞれ架台１の外郭縁部より外方近傍に張出し状態で位置させるものである。すなわち、少なくとも３本の支持脚６ａ〜６ｃのうち、２本の支持脚を６ｂ、６ｃを起立状態において装置本体の外郭縁部の外方近傍に位置させることによって、該装置本体をさらに安定した設置状態を確保し得るものである。
したがって、墨出し装置の使用時における設置に際し、その装置本体の転倒を未然に防止し得るものである。
【００２４】
そして、第１〜第３の支持脚６ａ〜６ｃと各支持ピン８ａ〜８ｃとのそれぞれの支承部位には、コイルスプリング等の弾力付与手段１１が介装されているので、架台１及び可動アーム９ａ、９ｂに対する第１〜第３の支持脚６ａ〜６ｃに対してそれぞれテンションを付与して該第１〜第３の支持脚６ａ〜６ｃの起立状態を維持（保持）することができる。
【００２５】
さらに、架台１の底面にあって、第１〜３の収納凹部７ａ〜７ｃが形成された残余の底面をフラット面１ａに形成したことにより、各支持脚６ａ〜６ｃを折畳んで各収納凹部７ａ〜７ｃ内に埋没させて収納した状態において、このフラット面１ａを利用することによって、墨出し装置全体を三脚等他の測量機器或いはその取付け用のアタッチメント等に対して簡単に装着することが可能となる。
【００２６】
また、本実施例にあっては、図１０〜図１６に示すように、スイッチレバー２２を垂直状態から水平状態に回動位置（図１３参照）することによって、スイッチカム２１がロックアーム１７に対する押動を解いて該ロックアーム１７の先端部をトーションスプリング１８のバネ力により前記振り子部材３の外周側に当接させてロック状態とするとともにマイクロスイッチ２０をＯＦＦ状態（図１２参照）とすることができ、さらに、該スイッチレバー２２を水平状態から垂直状態に回動位置（図１５参照）することによって、該スイッチカム２１がロックアーム１７をトーションスプリング１８のバネ力に抗して押動して該ロックアーム１７の先端部を前記振り子部材３の外周側から離隔してアンロック状態とするとともにマイクロスイッチ２０をＯN状態（図１４参照）とすることができる。
【００２７】
したがって、レーザー光源ユニット４用のマイクロスイッチ２０のＯＮ，ＯＦＦ制御とともに、振り子部材３のロック及びアンロック状態を確実かつ効果的に行なうことができ、収納・運搬時に際し、墨出し装置を安定した状態に維持することができるものである。
【００２８】
さらに、ロックアーム１７の先端部を前記振り子部材３の外周に当接させてロック状態にあっては、コイル状のトーションバネ１８によるバネ力で押圧するものであるから、該振り子部材３に係る衝撃を該トーションバネ１８のバネ力で吸収してその衝撃力を吸収緩和することができ、振り子部材３の支承状態及び該振り子部材３に組込まれたレーザー光源ユニット４等の損傷を未然に防止し得るものである。
【００２９】
なお、本実施例において、前記第１〜第３の支持脚６ａ〜６ｃと各支持ピン８ａ〜８ｃとのそれぞれの支承部位に組込んだコイルスプリング等の弾力付与手段１１の構成に代えて、該弾力付与手段１１Ａを、図１７〜図１９に示すように、支持ピン８ａ〜８ｃの外周に弾装されたコイルスプリング２４と、該コイルスプリング２４の一方端面と支持ピン８ａ〜８ｃの一方端部（頭部側）との間に座金２５、２５を介在して回動（図ではほぼ９０度の範囲）可能に支持され、かつ各支持脚６ａ〜６ｃの外周面側に突出して当接可能とした突状及び凹状のカム面２６を有する固止レバー２７とから構成されている。
【００３０】
したがって、第１及び第３の支持脚６ａ〜６ｃにおいて、固止レバー２７を９０度回動して突状のカム面２６を各支持脚６ａ〜６ｃの外周面に乗り上げ当接する（図１９（ａ）参照）ことによって、そのコイルスプリング２４の弾力を強くして架台１及び可動アーム９ａ、９ｂに対する第１〜第３の支持脚６ａ〜６ｃに対してそれぞれテンションを強く付与して該第１〜第３の支持脚６ａ〜６ｃの起立状態を維持することができる。（図１８（ａ）参照）
そして、各支持脚６ａ〜６ｃを折畳む場合には、固止レバー２７を前述とは逆方向に９０度復帰回動して凹状のカム面２６を各支持脚６ａ〜６ｃの外周面に位置する（図１９（ｂ）参照）ことによって、そのコイルスプリング２４の弾力を前述よりも弱くして架台１及び可動アーム９ａ、９ｂに対する第１〜第３の支持脚６ａ〜６ｃに対してそれぞれ弱いテンションを付与して該第１〜第３の支持脚６ａ〜６ｃの折畳み操作に対応するものである。（図１８（ｂ）参照）
【００３１】
なお、本実施例においては、第１〜第３の収納凹部７ａ〜７ｃを設けて、該第１〜第３の収納凹部７ａ〜７ｃ内に折畳んだ第１〜第３の支持脚６ａ〜６ｃを埋没状に収納するように構成したが、この該第１〜第３の収納凹部７ａ〜７ｃを形成しない構成の場合にも対応が可能である。
【００３２】
また、本実施例における各構成にあっては、本発明の主旨を逸脱しない範囲において種々変更が可能である。
【図面の簡単な説明】
【００３３】
【図１】本発明の一実施例の全体形態を示す正面図である。
【図２】支持脚を折畳んで本体ハウジング等を取外した状態を示す右側面図である。
【図３】同じく底面図である。
【図４】支持脚を起立して本体ハウジング等を取外した状態を示す右側面図である。
【図５】同じく底面図である。
【図６】支持脚の組付け関係を示す分解斜視図である。
【図７】支持脚の組付け状態を示す断面図である。
【図８】振り子部材の支持状態及びレーザー光源ユニットの取付け状態を示す側面図である。
【図９】振り子部材の支持状態及びレーザー光源ユニットの取付け状態を示す側断面図である。
【図１０】振り子部材のロック状態を示す平断面図である。
【図１１】同じく振り子部材のアンロック状態を示す平断面図である。
【図１２】振り子部材に対するロックアームのロック状態を示す断面図である。
【図１３】同じくロック状態におけるスイッチレバー等の関係を示す正面図である。
【図１４】振り子部材に対するロックアームのアンロック状態を示す断面図である。
【図１５】同じくアンロック状態におけるスイッチレバー等の関係を示す正面図である。
【図１６】取付け板に対するロックアーム、マイクロスイッチ、スイッチカム、スイッチレバー等の組付け関係を示す分解斜視図である。
【図１７】支持脚に対する弾力付与手段の別例を示す分解斜視図である。
【図１８】同じく（ａ）（ｂ）は固止レバーの動作説明図である。
【図１９】（ａ）（ｂ）は支持脚に対する弾力付与手段のロック、アンロック状態を示す説明図である。
【符号の説明】
【００３４】
１  架台
２  支持フレーム
３  振り子部材
４  レーザー光源ユニット
５  本体ハウジング
６ａ〜６ｃ  第１〜第３の支持脚
【図１】
2008267825.tif 000003
【図２】
2008267825.tif 000004
【図３】
2008267825.tif 000005
【図４】
2008267825.tif 000006
【図５】
2008267825.tif 000007
【図６】
2008267825.tif 000008
【図７】
2008267825.tif 000009
【図８】
2008267825.tif 000010
【図９】
2008267825.tif 000011
【図１０】
2008267825.tif 000012
【図１１】
2008267825.tif 000013
【図１２】
2008267825.tif 000014
【図１３】
2008267825.tif 000015
【図１４】
2008267825.tif 000016
【図１５】
2008267825.tif 000017
【図１６】
2008267825.tif 000018
【図１７】
2008267825.tif 000019
【図１８】
2008267825.tif 000020
【図１９】
2008267825.tif 000021